【事件の表示】
　特願２００５−　３８０６８号「空気調和機の室内機および空気調和機の室内機の制御方法」拒絶査定不服審判事件〔平成１８年　８月３１日出願公開、特開２００６−２２６５６２号〕について、次のとおり審決する。
【結　論】
　本件審判の請求は、成り立たない。
【理　由】
第１　手続の経緯・本願発明 
　本願は、平成１７年２月１５日の出願であって、平成２０年８月２１日付けで拒絶査定され（発送日：同年８月２６日）、これに対し、同年９月２５日に拒絶査定不服審判が請求されるとともに、同年１０月８日付けで手続補正がなされたが、これは当審において平成２２年１０月１９日付けの補正の却下の決定により却下され、同日付けで拒絶理由が通知され、これに応答して同年１２月２２日付けで手続補正がなされたものであって、請求項１に係る発明（以下「本願発明」という。）は、次の事項により特定されるとおりのものである。
　 
「【請求項１】
　吸込口（２１）と吹出口（２０）とが設けられたケーシング部（２）と、
　前記吸込口（２１）から吸い込まれ前記吹出口（２０）から吹き出される空気の流れを生成する送風部（３）と、
　前記ケーシング部（２）の正面に設けられる正面パネル（６ａ）の上部を構成し、前記吸込口（２１）を開閉する第２パネル部（６２ａ）と、
　前記第２パネル部（６２ａ）に繋がっており前記正面パネル（６ａ）の下部を構成する第１パネル部（６１ａ）と、
　前記吹出口（２０）を開閉する吹出口開閉部材（５）と、
　前記送風部（３）が停止し且つ前記吸込口（２１）と前記吹出口（２０）とが閉じられた運転停止状態から運転を開始するときには、前記第２パネル部（６２ａ）が前記吸込口（２１）を開くように移動する吸込口開動作を開始させ、前記送風部（３）の駆動を前記吸込口開動作の開始後に開始させ、前記吹出口開閉部材（５）が前記吹出口（２０）を開くように移動する吹出口開動作を前記送風部（３）の駆動開始後であり且つ前記吸込口開動作の完了後に開始させる制御部（８）と、
を備え、
　前記第２パネル部（６２ａ）が閉状態である場合に、前記第１パネル部（６１ａ）の下端は前記吹出口（２０）の上端より下方に位置し、且つ、前記第１パネル部（６１ａ）は前記吹出口開閉部材（５）の上端を覆い、
　前記吸込口開動作の完了時には、前記第１パネル部（６１ａ）の下端は、前記吹出口（２０）の上端を上方に越える位置に位置する、
空気調和機の室内機（１ａ）。」
　
　なお、平成２２年１２月２２日付け手続補正書の特許請求の範囲の請求項１には、「前記第１パネル部（６２ａ）」と記載されているが、「前記第１パネル部（６１ａ）」の誤記と認め、本願の請求項１に係る発明を上記のとおり認定した。
　　  
第２　引用刊行物 
　１　引用刊行物１
　当審における、平成２２年１０月１９日付けで通知した拒絶の理由に引用した本願の出願前に頒布された特開２００５−３７０００号公報（以下「引用刊行物１」という。）には、図面と共に、次の事項が記載されている。　
　
　ア　「熱交換器に連通する空気吸込口と、ファンと、前後方向に移動して前記空気吸込口を開閉する前面パネルと、前記空気吸込口の下方に配された吹出口と、前記吹出口を開閉すると共に回動して吹出し風の向きを変える風向羽根を備え、本体の運転停止時に前記前面パネルの下端と前記風向羽根の上端が隣接することを特徴とする空気調和機。」（【請求項１】） 
 　 
　イ　「運転開始時に、前面パネルの前方への移動とファンの運転を同時に開始し、所定時間後に風向羽根の回動を開始し、リモコンで設定された角度で停止するようにした請求項１記載の空気調和機。」（【請求項３】） 
 　 
　ウ　「【発明が解決しようとする課題】 
しかしながら、上記従来の構成では、吸込パネルの下端と風向板の上端との間は、フロントパネルの一部が介在するなどして大きく離れていた。このため、デザイン的に優れているとは言えず、一体感に欠け、さらに、視覚的にも空気調和機が大きく見え、部屋の中でも違和感があった。 
　本発明は、上記従来の課題を解決し、デザイン性が優れた空気調和機を提供するものである。」（段落【０００６】〜【０００７】） 
 　 
　エ　「図１において、１は、室内機本体で、熱交換器２、ファン３を内蔵している。本体１の前面には、空気吸込口４、駆動装置５により前後に移動して、前記空気吸込口４を開閉する前面パネル６が設けられている。前面パネル６が、後方に移動して空気吸込口４を閉じている状態と、前方に移動して空気吸込口４を開いている状態が、それぞれ実線と破線で示されている。　７は、空気吸込口４の下方に設けられ、熱交換器２で熱交換され発生した冷気又は暖気を吹出す吹出口である。吹出口７には、羽根駆動装置９ｂにより、回動軸８を中心に回動して、吹出口７から吹出される風の向きを変更する風向羽根９が設けられている。風向羽根９が吹出口７を全閉した状態から矢印方向に回動して全開した状態が、それぞれ実線と破線で示されている。　また、前面パネル６が後方に移動して空気吸込口４を閉じ、さらに、風向羽根９が吹出口７を全閉している時は、前面パネル６の下端６ａと風向羽根９の上端９ａが隣接するように、それぞれの位置が設定されている。」（段落【００１４】〜【００１６】） 
 　 
　オ　「ここで、前面パネル６が最終全開位置（図１で、破線で示されている位置）に達する前に、風向羽根９が全開位置（図１で、破線で示されて入る位置）まで回動すると、図１からも明らかなように、前面パネル６の下端６ａが風向羽根９に衝突し、お互いの動きが規制され、故障の原因となる。」（段落【００１９】前半） 
　
　カ　「（実施例２） 
次に本発明の第２の実施例を、図４を用いて説明する。 
図４において、室内機本体１にリモコン（図示せず）より運転開始信号を送信すると、まず、前面パネル６と風向羽根９のリセット動作を開始する。前面パネル６と風向羽根９の双方のリセット動作完了後、前面パネル６の前方への移動とファン３の運転が同時に開始する。 
ここで、前面パネル６の移動軌跡と風向羽根９が接触するまでの時間を所定時間Ａとすると、この所定時間Ａ経過後に、風向羽根９の回動を開始し、リモコンで設定された角度で停止するようにする。 
上記動作により、風向羽根９が、リモコンで設定された風向き方向に対応する角度まで回動する間に、前面パネル６が上記接触位置より通り過ぎているので双方が接触する事が無い。」（段落【００２５】〜【００２８】） 
 　 
　キ　図１、３には、前面パネル６が、前面パネル６の上部を構成し、空気吸込口４を開閉する上方部と、前記上方部に繋がっており前記前面パネル６の下部を構成する下方部とからなること、が図示されている。
　
　ク　図４に示されるファン３、前面パネル６、風向羽根９の動作が制御装置により行われることは自明の事項である。 
 　 
　上記記載事項及び図示内容を総合し、本願発明の記載ぶりに則って整理すると、引用刊行物１には、次の発明（以下「引用刊行物１記載の発明」という。）が記載されている。 
　
「空気吸込口４と吹出口７とが設けられた室内機本体１と、
　前記空気吸込口４から吸い込まれ前記吹出口７から吹き出される空気の流れを生成するファン３と、
　前記室内機本体１の正面に設けられる前面パネル６の上部を構成し、前記空気吸込口４を開閉する上方部と、
　前記上方部に繋がっており前記前面パネル６の下部を構成する下方部と、
　前記吹出口７を開閉する風向羽根９と、
　前記ファン３が停止し且つ前記空気吸込口４と前記吹出口７とが閉じられた運転停止状態から運転を開始するときには、前記上方部が前記空気吸込口４を開くように移動する吸込口開動作を開始させ、前記ファン３の駆動を前記吸込口開動作と同時に開始させ、前記風向羽根９が前記吹出口７を開くように移動する吹出口開動作を前記ファン３の駆動開始後であり且つ所定時間Ａ経過後に開始させる制御装置と、
を備え、
　前記上方部が閉状態である場合に、前記下方部の下端６ａは前記風向羽根９の上端９ａに隣接する、空気調和機の室内機。」
　  
　２　引用刊行物２
　同じく、当審における前記拒絶の理由に引用した本願の出願前に頒布された特開２００３−７４８９７号公報（以下「引用刊行物２」という。）には、図面と共に次の事項が記載されている。  
　
　ア　「冷房、暖房、除湿などの通常の空気調和運転開始時において、吹出しルーバー８Ａ，８Ｂを回動して吹出し口７を開放する以前に、開閉駆動機構５を作動して可動パネル６を突出させ、前部吸込み口３を開放させるよう制御する。 
　そのあと、送風機１１を駆動して送風作用を行わせるのであるが、既に、可動パネル６を突出させているので、送風機１１駆動にともなう負圧による可動パネル６の開放動作の不具合がなく、高い信頼性を得られる。 
　また、通常の空気調和運転開始時において、可動パネル６が吸込み口３を所定量開放したあと、もしくは所定時間経過したあとで、送風機１１の速度切換えを上げるよう制御する。すなわち、送風機１１駆動にともなう負圧による可動パネル６の開放動作の不具合がなく、高い信頼性を得られる。 」（段落【０１００】〜【０１０２】） 
 　 
　上記記載事項から、引用刊行物２には、空気調和機の運転開始時の負圧に起因する不具合を防止するための発明として、次の発明（以下「引用刊行物２記載の発明」という。）が記載されている。 
 　 
「運転開始時において、可動パネル６を突出させ、前部吸込み口３を開放させた後、送風機１１を駆動して送風作用を行わせる空気調和機。」 
　
第３　対比  
　本願発明と引用刊行物１記載の発明を対比すると、引用刊行物１記載の発明の「空気吸込口４」は本願発明の「吸込口（２１）」に相当し、以下同様に、「吹出口７」は「吹出口（２０）」に、「室内機本体１」は「ケーシング部（２）」に、「ファン３」は「送風部（３）」に、「前面パネル６」は「正面パネル（６ａ）」に、「上方部」は「第２パネル部（６２ａ）」に、「下方部」は「第１パネル部（６１ａ）」に 、「風向羽根９」は「吹出口開閉部材（５）」に、「制御装置」は「制御部（８）」に、「前記下方部の下端６ａ」は「前記第１パネル部（６１ａ）の下端」に、「空気調和機の室内機」は「空気調和機の室内機（１ａ）」に、それぞれ相当する。 
　
　したがって、両者は、  
「吸込口（２１）と吹出口（２０）とが設けられたケーシング部（２）と、
　前記吸込口（２１）から吸い込まれ前記吹出口（２０）から吹き出される空気の流れを生成する送風部（３）と、
　前記ケーシング部（２）の正面に設けられる正面パネル（６ａ）の上部を構成し、前記吸込口（２１）を開閉する第２パネル部（６２ａ）と、
　前記第２パネル部（６２ａ）に繋がっており前記正面パネル（６ａ）の下部を構成する第１パネル部（６１ａ）と、
　前記吹出口（２０）を開閉する吹出口開閉部材（５）と、
　前記送風部（３）が停止し且つ前記吸込口（２１）と前記吹出口（２０）とが閉じられた運転停止状態から運転を開始するときには、前記第２パネル部（６２ａ）が前記吸込口（２１）を開くように移動する吸込口開動作を開始させ、前記吹出口開閉部材（５）が前記吹出口（２０）を開くように移動する吹出口開動作を前記送風部（３）の駆動開始後に開始させる制御部（８）と、を備える空気調和機の室内機（１ａ）。」
　で一致し、以下の点で相違している。 
　  
〔相違点１〕  
　本願発明は、送風部（３）の駆動を吸込口開動作の開始後に開始させ、吹出口開動作を送風部（３）の駆動開始後であり且つ前記吸込口開動作の完了後に開始させるのに対し、
　引用刊行物１記載の発明は、ファン３の駆動を吸込口開動作と同時に開始させ、吹出口開動作をファン３の駆動開始後であり且つ所定時間Ａ経過後に開始させる点。
　
〔相違点２〕  
　本願発明は、第２パネル部（６２ａ）が閉状態である場合に、第１パネル部（６１ａ）の下端は吹出口（２０）の上端より下方に位置し、且つ、第１パネル部（６１ａ）は吹出口開閉部材（５）の上端を覆い、
　吸込口開動作の完了時には、第１パネル部（６１ａ）の下端は、吹出口（２０）の上端を上方に越える位置に位置する、のに対し、
　引用刊行物１記載の発明は、上方部が閉状態である場合に、下方部の下端６ａは風向羽根９の上端９ａに隣接するに過ぎない点。
　
第４　当審の判断
　１　相違点１  
　本願発明と引用刊行物２記載の発明を対比すると、引用刊行物２記載の発明における「可動パネル６」は本願発明における「正面パネル（６ａ）」に相当し、以下同様に「突出させ」は「移動させ」に、「前部吸込み口３」は「吸込口（２１）」に、「送風機１１」は「送風部（３）」に、それぞれ相当する。 
　よって、引用刊行物２記載の発明は、次のように言い換えることができる。
　
 「運転開始時において、正面パネル（６ａ）を移動させ、吸込口（２１）を開放させた後、送風部（３）を駆動して送風作用を行わせる空気調和機。」
　
　そうしてみると、運転開始時の負圧に起因する不具合を防止するために、引用刊行物２記載の発明に基づいて、引用刊行物１記載の発明の「ファン３の駆動を吸込口開動作と同時に開始させ」を「送風部（３）の駆動を吸込口開動作の開始後に開始させ」と変更することは、当業者が容易になし得たことである。
　
　また、引用刊行物１には、所定時間Ａが前面パネルと風向羽根９が接触することを回避するために定められることが記載され（前記第２の１のカ）、前面パネル６が最終全開位置に達する前であれば、風向羽根９と接触する可能性があることが示唆されている（前記第２の１オ及びカ）。
　
　この記載及び示唆からみて、前面パネル６が最終全開位置に達していれば、前面パネル６と風向羽根９の衝突が発生しないことは、当業者が容易に認識し得たことであるから、引用刊行物１記載の発明の「吹出口開動作をファン３の駆動開始後であり且つ所定時間Ａ経過後に開始させる」を「吹出口開動作を送風部（３）の駆動開始後であり且つ前記吸込口開動作の完了後に開始させる」と変更することも当業者が容易になし得たことである。
　
　２　相違点２
　本願の出願前に、前面パネルが閉状態である場合に、前面パネルの下端は吹出口の上端より下方に位置し、且つ、前面パネルは風向変更部材の上端を覆い、吸込口開動作の完了時には、前面パネルの下端は、吹出口の上端を上方に越える位置に位置することは、従来周知の技術事項（例えば、特開２００５−３６９９８号公報の図１及び２、実願平２−６２６３８号（実開平４−２０９２３号公報）のマイクロフィルムの第１図〜第３図、国際公開第２００４／８５９２９号のＦｉｇ．６及び９参照。）である。
　
　そうしてみると、引用刊行物１記載の発明の「上方部」及び「下方部」が前面パネルを構成するものであり、同「風向羽根９」が吹出口に設けられた風向変更部材であるから、デザイン的に優れたものとするために（前記第２の１のウ）、引用刊行物１記載の発明の「上方部が閉状態である場合に、下方部の下端６ａは風向羽根９の上端９ａに隣接する」を「第２パネル部（６２ａ）が閉状態である場合に、第１パネル部（６１ａ）の下端は吹出口（２０）の上端より下方に位置し、且つ、第１パネル部（６１ａ）は吹出口開閉部材（５）の上端を覆い、　吸込口開動作の完了時には、第１パネル部（６１ａ）の下端は、吹出口（２０）の上端を上方に越える位置に位置する」とすることは、前記周知の技術事項に基づいて、当業者が容易になし得たことである。  
　
　そして、本願発明の奏する効果は、引用刊行物１記載の発明、引用刊行物２記載の発明及び前記周知の技術事項のそれぞれの効果の総和以上のものではなく、当業者が予測できる範囲内のものである。
　
　したがって、本願発明は、引用刊行物１記載の発明、引用刊行物２記載の発明及び前記周知の技術事項に基いて当業者が容易に発明をすることができたものである。
　  
第５　むすび  
　以上のとおりであるから、本願発明は、引用刊行物１記載の発明、引用刊行物２記載の発明及び前記周知の技術事項に基いて当業者が容易に発明をすることができたものであるから、特許法第２９条第２項の規定により特許を受けることができない。  
　  
　したがって、本願のその他の請求項に係る発明について検討するまでもなく、本願は拒絶すべきものである。  
　  
　よって、結論のとおり審決する。